(57)【要約】【課題】特別なモード報知用のＬＥＤを必要とせず、ユーザに対して選択されたモードを確実に報知できる画像処理装置を提供する。【解決手段】自動モードに設定されると、表示部７のＬＣＤをカラーとモノクロ交互に点滅し（ステップＳＴ１１）、スタートキー８ｂが操作されると（ステップＳＴ１２）、読み取り原稿をスキャンし（ステップＳＴ１３）、原稿画像がカラーかモノクロかを判定する（ステップＳＴ１４）。カラーの場合は、表示部７のＬＣＤをカラー表示とし（ステップＳＴ１５）、スキャンデータに対してカラー画像処理を行う（ステップＳＴ１６）。原稿画像がモノクロの場合は、表示部７のＬＣＤをモノクロ表示とし（ステップＳＴ１７）、スキャンデータに対して、モノクロの画像処理を行う（ステップＳＴ１８）。【選択図】      図３
2005064579.tif 000002
【特許請求の範囲】
【請求項１】
各種文字メッセージを表示する表示部と、
操作により、カラーモードとモノクロモードとを切り替える切替手段と、を備えた画像処理装置であって、
前記切替手段によるカラーモードとモノクロモードとの切替操作に伴って、表示部の表示色又は表示形態を切り替える制御手段を備えたことを特徴とする画像処理装置。
【請求項２】
各種文字メッセージを表示する表示部と、
入力された原稿画像データに基づいて、その原稿がカラー原稿かモノクロ原稿かを判定する判定手段と、を備えた画像処理装置であって、
前記判定手段による判定結果に伴って表示部の表示色又は表示形態を切り替える制御手段を備えたことを特徴とする画像処理装置。
【請求項３】
各種文字メッセージを表示する表示部と、
自動判定モードを含む複数のモードから所望のモードを選択するためのモード切替手段と、
自動判定モードにおいて、入力された原稿画像に基づいて、その原稿がカラー原稿かモノクロ原稿かを判定する判定手段と、を備えた画像処理装置であって、
判定中を含めて自動判定モードの設定されている状態では、表示部の表示色を異なる状態間で周期的に切り替えるとともに、判定後は判定結果に基づいて表示部の表示色又は表示形態を切り替える制御手段を備えたことを特徴とする画像処理装置。
【請求項４】
自動原稿供給装置を用いて複数枚の原稿を連続的に読み取る場合、表示部に頁番号を表示するとともに、その番号頁についての判定結果に基づいて表示色又は表示形態を切り替えることを特徴とする請求項２又は請求項３記載の画像処理装置。
【発明の詳細な説明】
【０００１】
【発明の属する技術分野】
この発明は、カラーモードとモノクロモードとが切り替え可能な画像処理装置に関する。
【０００２】
【従来の技術】
コピー機、ファクシミリ装置、スキャナ、プリンタ、複合機等の画像処理装置には、カラーモードとモノクロモードとが切り替え可能なものが知られている。
この種の画像処理装置においては、カラーモードとモノクロモードとの切り替えをユーザが操作により行う場合、専用のＬＥＤ点灯により、選択されているモードがカラーかモノクロかをユーザに知らせるようにしている。また、スキャンした内容に基づいて、カラー／モノクロモードを自動的に判定するものや、表示部（ＬＣＤ）内の文字でカラー／モノクロの別を表示するものもある。更に、カラー／モノクロの読取モードに応じて、ＬＣＤ表示用のメモリのメモリブレーンの使用方法を変えて、読み取られる画像に応じて最も好ましい画質で原稿を表示する技術であり、モノクロモードの場合はモノクロで原稿を表示し、カラーモード又はカラーモード＋モノクロモードの場合は、カラーで原稿を表示する技術が開示されている（例えば、特許文献１参照）。
【０００３】
【特許文献１】
特開平１０−２０７１２号公報
【０００４】
【発明が解決しようとする課題】
カラーモードとモノクロモードとを区別するために、上記したＬＥＤを使用する方法は、専用のＬＥＤを必要とする上、ＬＣＤ上のメッセージ表示により知らせる場合、分かり難いという問題がある。また、スキャンした内容に基づいてカラー／モノクロ判定を行う場合（自動モード）、カラーと判定されてカラー画像処理が施されているのか、モノクロと判定されてモノクロ画像処理が施されているのかをユーザが知ることができない、という問題がある。また、表示部内の文字で報知することは、これも分かり難い。
【０００５】
また、上記特許文献１に記載の技術では、読み取られた原稿を表示するものであるから、高解像度で大きなＬＣＤが必要となる。また、読み取られた原稿をモノクロで表示しても、モノクロ又はカラーのいずれで処理されたか知ることができない、という問題がある。
【０００６】
この発明は上記問題点に着目してなされたものであって、特別なモード報知用のＬＥＤを必要とせず、ユーザに対して選択されたモードを確実に報知できる画像処理装置を提供することを目的としている。
【０００７】
【課題を解決するための手段】
この発明の請求項１に係る画像処理装置は、各種文字メッセージを表示する表示部（ＬＣＤ）と、操作により、カラーモードとモノクロモードとを切り替える切替手段と、前記切替手段によるカラーモードとモノクロモードとの切替操作に伴って、表示部の表示色又は表示形態を切り替える制御手段とを備えている。
【０００８】
また、請求項２に係る画像処理装置は、各種文字メッセージを表示する表示部（ＬＣＤ）と、入力された原稿画像データに基づいて、その原稿がカラー原稿かモノクロ原稿かを判定する判定手段と、前記判定手段による判定結果に伴って表示部の表示色又は表示形態を切り替える制御手段とを備えている。
【０００９】
また、請求項３に係る画像処理装置は、各種文字メッセージを表示する表示部（ＬＣＤ）と、自動判定モードを含む複数のモードから所望のモードを選択するためのモード切替手段と、自動判定モードにおいて、入力された原稿画像に基づいて、その原稿がカラー原稿かモノクロ原稿かを判定する判定手段と、判定中を含めて自動判定モードの設定されている状態では、表示部の表示色又は表示形態と異なる状態間で周期的に切り替えるとともに、判定後は判定結果に基づいた表示部の表示色又は表示形態を切り替える制御手段とを備えている。
【００１０】
なお、この発明において、各文字メッセージとは、単なる文字だけでなく、アイコンや簡単な図形も含まれるものである。簡単な図形としては、例えばジャム発生時に表示する、ジャム発生箇所又は操作すべき箇所を示す装置のイラストがある。
【００１１】
また、この発明において、表示形態を切り替えるとは、例えば単色ＬＣＤにおいて、モード又は判定結果に応じて、ハッチングパターンを切り替える場合等である。
【００１２】
【発明の実施の形態】
以下、実施の形態により、この発明を更に詳細に説明する。
【００１３】
その実施形態に係るカラー画像通信装置の構成の一例を示すブロック図を図１に示す。このカラー画像通信装置は、コピー装置とファクシミリ装置を兼用する複合機として構成したものである。ファクシミリ装置は、ＩＴＵ−Ｔ勧告で規定されたファクシミリ通信手順に従って、カラー画像をファクシミリ通信する機能を備えている。
【００１４】
図１において、主制御部としてのＣＰＵ（中央処理装置）１は、当該装置を構成する各部を統括制御する機能を有する。
【００１５】
このＣＰＵ１には、ＮＣＵ（網制御回路：Ｎｅｔｗｏｒｋ  Ｃｏｎｔｒｏｌ  Ｕｎｉｔ）２、ＭＯＤＥＭ３、ＲＯＭ４、ＲＡＭ５、画像メモリ６、表示部７、操作部８、画像読み取り部９、画像記録部１０、ＣＯＤＥＣ（符号化・復号器：Ｃｏｄｅｒ  ａｎｄ  Ｄｅｃｏｄｅｒ  ）１１、ＬＡＮ  Ｉ／Ｆ１２、記録メディア１６がバス１３を介して接続されている。
【００１６】
ＮＣＵ２は、ＣＰＵ１により制御されて、通信回線である電話回線網（ＰＳＴＮ）１４との接続を制御する。また、ＮＣＵ２は、通信相手の電話番号（ＦＡＸ番号を含む）に応じたダイヤルパルスを送出する機能及び着信を検出する機能を有する。ＭＯＤＥＭ３は、ＩＴＵ（国際電気通信連合）−Ｔ勧告Ｔ．３０、Ｔ．４に従ったファクシミリ伝送制御手順（ファクシミリ通信手順）に基づいて、Ｖ．１７、Ｖ．２７ｔｅｒ、Ｖ．２９等に従った送信データの変調及び受信データの復調を行う。また、ＭＯＤＥＭ３は、Ｖ．８、Ｖ．３４を用いたＶ．３４ＦＡＸにも適用可能である。具体的には、ＭＯＤＥＭ３は、ＮＣＵ２を介して電話回線網１４に送出するために、デジタル信号である送信データをアナログの音声信号に変調する機能を有する。また、ＭＯＤＥＭ３は、電話回線網１４からＮＣＵ２を介して受信したアナログの音声信号をデジタル信号に復調する機能を有する。
【００１７】
ＲＯＭ４は、この装置全体の動作を制御するためのプログラム等を記憶する。
ＲＡＭ５は、ＣＰＵ１による制御に必要なデータ及び制御動作時に一時記憶が必要なデータ等を記憶する。画像メモリ６は、画像読み取り部９で読み取った画像データを圧縮状態で記憶する。さらに、画像メモリ６は、パーソナルコンピュータ等の外部装置からネットワーク（ＬＡＮ）を介して受信した画像データ又は記録メディアＩ／Ｆ１６を介して記録メディアから読み込んだ画像データを圧縮状態（ＪＰＥＧ等）で記憶する。
【００１８】
表示部７は、アイコン、キーボタンの表示や、データの送受信に必要なメッセージ内容、操作部８の操作により入力された電話番号やＦＡＸ番号等を表示する。この表示部７としては、ＣＲＴディスプレイやＬＣＤ（液晶表示装置）が用いられる。この表示部７は、選択により、表示内容をカラーとモノクロのいずれかで表示できる。操作部８は、モード切替スイッチ８ａ、スタートキー８ｂの他、テンキーと、ワンタッチキーと、登録キーとを有する。モード切替スイッチ８ａにより、カラーモード／モノクロモード／自動モードを切り替えることができる。もちろん、その他の動作モードの切り替え、例えばＦＡＸモード／コピーモード／スキャナモード等の切り替えを行うこともできる。ここでカラーモードは、コピー機能やプリント機能の場合、画像形成をカラーで行う動作モードであり、通信機能時は、カラー画像データの通信を行うモードであり、スキャナ機能時は画像読み取りをカラーで行い、カラー画像データを記憶するモードである。モノクロモードは、それぞれコピー機能、プリント機能、通信機能、スキャナ機能時に画像処理をモノクロで行う動作モードであり、自動モードはスキャン画像をカラーかモノクロであるかを判定し、判定結果に応じた色で画像形成を行う動作モードである。スタートキー８ｂは、ファクシミリ通信やコピー動作の開始を指示するためのものである。テンキーは、電話番号やＦＡＸ番号を入力するためのものである。ワンタッチキーは、相手先の電話番号やＦＡＸ番号をワンタッチで呼び出すためのものである。登録キーは、相手先の電話番号やＦＡＸ番号を短縮登録するためのものである。
【００１９】
画像読み取り部９は、ファクシミリ送信するとき又はコピーするときに、原稿の画像データを光学的に走査して読み取る。この画像読み取り部９は、カラー画像の読み取りも可能である。カラー読み取りの場合、画像読み取り部９は、原稿画像を光学的に走査し、ＲＧＢ３色の色分解信号を得る。画像記録部１０は、電子写真方式のプリンタよりなり、受信画像データやコピー動作において画像読み取り部９で読み取った原稿の画像データを記録紙上に記録する。この画像記録部１０は、ＣＭＹＫ４色の記録剤（トナー）を使用するものであり、Ｋ（黒成分）のみの記録剤を用いたモノクロプリントに加えて、ＣＭＹＫ４色全ての記録剤を用いたカラープリントも可能である。
【００２０】
ＣＯＤＥＣ１１は、読み取った画像データを送信又は記憶するためにＭＨ、ＭＲ、ＭＭＲ方式等により符号化（エンコード）する。また、ＣＯＤＥＣ１１は、圧縮された状態で受信した符号化データを、画像記録部１０により記憶する。更に、ＣＯＤＥＣ１１は、画像読み取り部９でカラー読み取りして得たカラー画像データをＪＰＥＧ方式により符号化し、ＪＰＥＧ方式により符号化された状態で受信したカラー画像データを、画像記録部１０により記録するために復号する。
ＬＡＮ  Ｉ／Ｆ１２は、ＬＡＮ（ローカルエリアネットワーク）を介して外部機器とのデータ授受を行うためのものであり、ＬＡＮ  Ｉ／Ｆ１２を介してＰＣ（パーソナルコンピュータ）等の外部機器が接続される。例えば、ＬＡＮ  Ｉ／Ｆ１２を介して、外部機器からＪＰＥＧ圧縮された画像データを受信することができる。
【００２１】
次に、この実施形態装置のカラー／モノクロモード切替時の処理動作を、図２に示すフロー図を参照して説明する。この処理ルーチンに入ると、ステップＳＴ１において、切り替えられたモードがモノクロモードかカラーモードかを判定する。モード切替スイッチ８ａによって、カラーモードに切り替えられた場合には、ステップＳＴ２へ移行する。一方、モノクロモードに切り替えられた場合には、ステップＳＴ３へ移行する。
【００２２】
ステップＳＴ２においては、表示部７のＬＣＤをカラー表示モードとする。ここでのカラー表示モードでは、表示部７の表示をカラーモードであることが類推できる配色とする。次に、ステップＳＴ４へ移行する。ステップＳＴ３においては、表示部７のＬＣＤをモノクロ表示モードとする。ここでのモノクロ表示モードでは、表示部７の表示をモノクロモードであることが類推できる配色とする。
次に、ステップＳＴ４へ移行する。ステップＳＴ２によるカラー表示モードにより、ユーザはカラーモードに切り替えられたことを知ることができ、またステップＳＴ３によるモノクロ表示モードにより、モノクロモードに切り替えられたことを知ることができる。
【００２３】
ステップＳＴ４においては、スタート指示がなされたか否か判定する。操作部８のスタートキー８ｂが操作されるとステップＳＴ５へ移行する。ステップＳＴ５においては、画像読み取り部９で原稿のスキャンを行う。そして、ステップＳＴ６へ移行する。ステップＳＴ６においては、表示部７のＬＣＤをステップＳＴ２、ＳＴ３で選択された表示モードに応じた色表示を行う。次に、ステップＳＴ７へ移行する。
【００２４】
ステップＳＴ７においては、スキャンデータに対して、表示モードに応じた画像処理、例えばカラーモードが選択された場合には、カラー画像処理を行う。続いて、ステップＳＴ８へ移行する。ステップＳＴ８においては、画像処理した画像データを画像メモリ６に記憶する。あるいは指定によりプリント出力し、又は指定によりファクシミリ送信する。その後、ステップＳＴ９へ移行し、所定時間の経過で処理を終了する。
【００２５】
次に、この実施形態装置において、自動モードが選択された場合の処理を、図３に示すフロー図を参照して説明する。操作部８のモード切替スイッチ８ａにより、自動モードが選択されると、この処理ルーチンに入り、ステップＳＴ１１において、表示部７のＬＣＤを点滅する。この点滅はカラー表示とモノクロ表示を交互に切り替えて点灯することにより行う。次に、ステップＳＴ１２へ移行する。この点滅表示により、ユーザは機器が自動モードに設定されていることを確認できる。
【００２６】
ステップＳＴ１２においては、スタート指示がなされたか否かを判定する。操作部８のスタートキー８ｂが押されると、ステップＳＴ１３へ移行する。ステップＳＴ１３において、画像読み取り部９で原稿をスキャンする。次に、ステップＳＴ１４へ移行する。ステップＳＴ１４では、スキャンにより得た原稿画像がカラーか又はモノクロかを判定する。カラーの場合は、ステップＳＴ１５へ移行する。一方、原稿画像がモノクロの場合は、ステップＳＴ１７へ移行する。
【００２７】
ステップＳＴ１５においては、表示部７のＬＣＤをカラー表示とする。続いて、ステップＳＴ１６へ移行する。ステップＳＴ１６においては、スキャンデータに対して、カラー画像処理を行う。次に、ステップＳＴ１９へ移行する。また、ステップＳＴ１７においては、表示部７のＬＣＤをモノクロ表示とし、次のステップＳＴ１８において、スキャンデータに対してモノクロ画像処理する。そして、ステップＳＴ１９へ移行する。ユーザは、ステップＳＴ１５のＬＣＤカラー表示により、カラーモードが自動選択されたことを、またステップＳＴ１７のＬＣＤモノクロ表示により、モノクロモードが自動選択されたことを知ることができる。
【００２８】
ステップＳＴ１９において、指定に応じ、画像処理データを画像メモリ６に記憶し、あるいは画像記録部１０でプリント出力し、又はファクシミリ送信する。
次に、ステップＳＴ２０へ移行する。ステップＳＴ２０においては、ステップＳＴ１９の処理終了後、所定時間が経過したか否かを判定する。所定時間が経過したと判定すると、ステップＳＴ２１へ移行する。ステップＳＴ２１においては、表示部７のＬＣＤをカラー表示とモノクロ表示を交互とする点滅表示とする。この点滅表示により、現在は待機中であるが「自動モード」に設定されたままであることを知ることができる。
【００２９】
なお、上記実施形態の「自動モード」が設定されている場合において、ＡＤＦ（自動原稿供給装置）で複数枚の原稿を連続読み取りする場合、表示部７に頁番号を示す文字を表示するようにするとともに、この番号頁について、カラー／モノクロの判定を行い、この判定結果に基づいて表示色を切り替えても良い。このようにすることにより、ユーザは各頁毎にカラーモード／モノクロモードの別を知ることができる。
【００３０】
また、上記各実施形態において、カラーモードとしたとき（又はカラー原稿と判定したとき）に、ＬＣＤをカラー表示モードとすることができるが、そのカラー表示モードでの基調色（基本となる色）をユーザが設定変更できるようにしても良い。
【００３１】
【発明の効果】
請求項１に係る発明によれば、切替手段によるカラーモードとモノクロモードとの切替操作に応じて表示部の表示色を切り替えるので、ユーザは表示色により選択したモードに確実に認識できる。
【００３２】
また、請求項２に係る発明によれば、原稿がモノクロかカラーかを判定し、判定結果に伴って表示部の表示色を切り替えるので、ユーザは表示色により判定されたモードを確実に認識できる。
【００３３】
また、請求項３に係る発明によれば、ユーザは自動判定モードに設定されていることを確実に認識でき、またいずれのモードに判定されたかを確実に認識できる。
【００３４】
また、請求項４に係る発明によれば、ＡＤＦで複数の原稿を連続読み取る場合でも、ユーザは各頁毎の判定結果を確実に知ることができる。
【図面の簡単な説明】
【図１】この発明の一実施形態であるファクシミリ装置の構成を示すブロック図である。
【図２】同ファクシミリ装置のカラー／モノクロモード切替時の処理動作を説明するフロー図である。
【図３】同ファクシミリ装置の自動モード選択時の処理動作を説明するフロー図である。
【符号の説明】
１      主制御部（ＣＰＵ）
２      ＮＣＵ
３      ＭＯＤＥＭ
４      ＲＯＭ
５      ＲＡＭ
６      画像メモリ
７      表示部
８      操作部
８ａ    モード切替スイッチ
８ｂ    スタートキー
９      画像読み取り部
１１    ＣＯＤＥＣ
１２    ＬＡＮ  Ｉ／Ｆ
１３    バス
１４    電話回線網
１５    ＬＡＮ
【図１】
2005064579.tif 000003
【図２】
2005064579.tif 000004
【図３】
2005064579.tif 000005